(57)【要約】      （修正有）【課題】ＩＣカードと同様の操作で機器内部の金属接点端子の汚れの除去を簡単に行えるＥＴＣ機器用カードクリーナーを提供する。【解決手段】表裏面を印刷可能としたカード基体の上面部に、車載器の金属接点端子と対応せしめて乾式の研磨材シート等で形成された払拭材を、カード基体の上部水平面とほゞ面一状に取り付ける。【選択図】図１
0003159745.tif 000002
【実用新案登録請求の範囲】
【請求項１】
機器本体のスロット部に挿入されるＥＴＣカードと同形に形成したカード基体の上面部に、機器本体の金属接点端子と対応せしめて乾式の研磨材シート若しくは湿式の不織布等で形成された払拭材を、カード基体の上部水平面とほゞ面一状に取り付けたことを特徴とするＥＴＣ機器用カードクリーナー。
【考案の詳細な説明】
【技術分野】
【０００１】  本考案は、高速道路で使用するＥＴＣ（自動料金支払いシステム）の車載器に好適するＥＴＣ機器用のカードクリーナーに関する。
【背景技術】
【０００２】  ＥＴＣを利用して有料道路の料金を自動的に支払うために用いられるＥＴＣ車載器によって、料金所に設置されたアンテナとの間でデータを無線交信して料金のデータをやりとりするものであるが、機器のカード取り込み部に塵・埃その他異物の混入や、カードに付着した汚れなどがあるとそれらが機器内部の金属接点端子に移着して当然ながら信号の交信に支障をきたし、データの記憶・読み取りが不具合となるおそれがある。そこでこのような機器内部の汚れの除去をする必要がある場合の対処法としての提案が従来もなされてはいる（例えば特許文献１及び２参照）。
【先行技術文献】
【特許文献】
【０００３】
【特許文献１】特開２００１−６７６３１号公報
【特許文献２】特開２００９−５９０３１号公報
【考案の概要】
【考案が解決しようとする課題】
【０００４】  特許文献１によれば、通常のカードが挿入されたときには運用処理が実行され、クリーニングカードが挿入されたときだけクリーニング処理が実行されるように、オペレータによるキー入力などの特定の操作を行うことなく、カードを挿入するだけで自動的且つ迅速確実にカードを識別し動作モードを切り替える方法と、これを利用し、低コストで磁気ヘッドやカード搬送ローラー等のクリーニングを効果的にするためのカード処理装置の提供を趣旨としている。この技術はクリーニングカードの所定位置に光透過部又は穴が設けられていることを特徴としており、効果的なクリーニング手段がカードのいずれの個所によるかを特定しているものではなく、ＥＴＣ車載器のような機器にまで対応できるほどの汎用性に乏しいと考えられる。【０００５】  特許文献２は、カードリーダのクリーニング構造に関するもので、カードの挿入に伴って移動するクリーニング部材を設けることにより、簡素な構成を維持しつつ本体側の固定端子及びカード側の移動接点部に付着した汚れを効率よくクリーニングするというものであるが、そのために第一清掃体と第二清掃体を設けたクリーニング部材をＥＴＣ車載器に付設することを要し、そのための製作手数がかゝるという問題がある。【０００６】  本考案はこのような従来技術を前提としつつ、簡単な構造ながら機器内部の汚れを確実容易に払拭するとことのできるＥＴＣ機器用カードクリーナーを提供しようとするものである。
【課題を解決するための手段】
【０００７】  すなわち本考案は、機器本体のスロット部に挿入されるＥＴＣカードと同形に形成したカード基体の上面部に、機器本体の金属接点端子と対応せしめて乾式の研磨材シート若しくは湿式の不織布等で形成された払拭材を、カード基体の上部水平面とほゞ面一状に取り付けたことを特徴としている。
【考案の効果】
【０００８】  本考案では、払拭材を取り付けたカード基体が車載器に利用されるＥＴＣカードと同形としてあるため車載器のスロット部にそのまゝ挿入でき、同じように使用後の取り出しも容易にできて操作がしやすく、払拭材が機器内部の金属接点端子に触れてその部分に付着した汚れが確実且つ迅速に除去されるためデータの記憶・読み出しに誤作動を生じるおそれがなくて機器本体の信頼度アップにもつながる利点がある。【０００９】  カード基体に払拭材を取り付ける要領は、あたかもＣＤと同形のディスク面にブラシ状清掃体を取り付けたＣＤクリーナーのような構成にも通じ、構造上何ら複雑な工程を経ることなく製作でき量産も可能で安価に提供できる実益がある。【００１０】  カード基体はＥＴＣカードと同形のシンプルな形体のため表裏面（上下面）に印刷をすることができ、クリーナーであることを示す文字表示は当然として動植物・風景などのイラストなどを印刷することにより商品価値を高めることができる。
【図面の簡単な説明】
【００１１】
【図１】本案カードクリーナーの平面図である。
【図２】同上の断面図である。
【図３】機器本体とカードクリーナーを示す斜視図である。
【図４】本考案の使用状態を示す説明図である。
【考案を実施するための形態】
【００１２】  実施形態を図面に基づき説明すると、図１、図２は本案クリーナーを示し、１はカード基体であって、上面部に払拭材２を取り付けている。カード基体１は図３に示す車載器の機器本体１０のスロット部１１に抜き差し自在となるもので、ＥＴＣカード（不図示）と同形に形成される。したがってカード基体１はＥＴＣカードと同様に着脱操作ができ、その取り扱いは運転手が通常のＥＴＣカードを操作する要領で簡単に済ませることができる。またカード基体１はＥＴＣカードと同じ材料を使用できるため材料選別に腐心する煩わしさも生じない。
【００１３】  払拭材２は、乾式の研磨材シート若しくは湿式の不織布で形成され、カード基体１の凹溝１ａ内に接着される。乾式の場合はそのまゝカード基体１を機器本体１０のスロット部１１に挿入し、湿式の場合は不織布製の払拭材２にクリーニング液を塗布したのちカード基体１をスロット部１１に挿入する。これはあたかもビデオクリーナーと同じで、乾式のビデオクリーナーではビデオデッキにそのまゝクリーナーをセットするが、湿式のビデオクリーナーでは一旦クリーナーにクリーニング液を塗布したのちセットするからである。しかして払拭材２の取り付け位置は図４に示すように機器本体１０のスロット部１１に設けられている金属接点端子１２と対応し、金属接点端子１２と接触することにより、その部分のクリーニングが行われる。
【００１４】  そのために払拭材２は、カード基体１の上部水平面にほゞ面一状に取り付けられ、カード基体１をスロット部１１に挿入すれば自ずから払拭材２が金属接点端子１２に付着している塵・埃などの汚れを払拭し、金属接点端子１２を絶えず清浄な状態に置くことにより信号の記憶・読み出しを確実に実行することができる。
【００１５】  上記のように本考案はＥＴＣクリーナーとして優れた特性を発揮するものであるが、用途的にはＥＴＣだけでなく、最近ではクレジットカードなどもＩＣチップ付きのものが出回るようになっている現状に鑑み、それらを含む広い分野での使用も本考案の想定内であり、従って上述したところの「ＥＴＣカード」との表現、払拭材２の素材なども本考案の目的効果を奏する限りその文言に拘束されない。またカード基体１の表裏面は平坦状でカラー印刷などを施すことによって体裁を良くしたり他のＩＣカードとの識別を容易にすることもできるが、このような任意事項も本考案の自由な実施範囲に属すること勿論である。
【符号の説明】
【００１６】  １    カード基体
２    払拭材
１０  機器本体
１１  スロット部
１２  金属接点端子
【図１】
0003159745.tif 000003
【図２】
0003159745.tif 000004
【図３】
0003159745.tif 000005
【図４】
0003159745.tif 000006